(57)【要約】【課題】  テントシートや工事用の防音シート等にロープ取付用の開孔を無くして、シートの破損を防止し、しかもシート固定具をシートに強固に取り付け外れないようにする。【解決手段】  シート端縁に形成された補強用の膨大部を両側から挟持し固定する一対の挟持片からなるシート取付部と、シートを展張し固定するためのロープ等を係合するロープ取付部とで構成された金属製のシート固定具であって、前記一対の挟持片は互いの基部を連結すると共に先端部は開口してなり、該先端部の内側には基部方向に向けて斜めに突出する抜け止め手段を備える。【選択図】  図１
2014201893.tif 000002
【特許請求の範囲】
【請求項１】
シート端縁に形成された補強用の膨大部を両側から挟持し固定する一対の挟持片からなるシート取付部と、シートを展張し固定するためのロープ等を係合するロープ取付部とで構成された金属製のシート固定具であって、前記一対の挟持片は互いの基部を連結すると共に先端部は開口してなり、該先端部の内側には基部方向に向けて斜めに突出する抜け止め手段を備えていることを特徴とするシート固定具。
【請求項２】
抜け止め手段をバネ材からなる一対の係止片で形成し、該係止片の基部を挟持片の内側に遊嵌状態に保持して一対の係止片の先端がシートを挟み付ける方向に開閉自在になるようにしたことを特徴とする請求項１記載のシート固定具。
【請求項３】
互いに連結してＣ字状に形成された一対の挟持片とその背面中央に配設したロープ取付部とをアルミ材で一体形成すると共に、挟持片の先端部に薄肉状の係止片を一体形成して抜け止め手段を構成し、前記一対の挟持片の両側を押圧してシート端縁の膨大部にカシメ固定するようにしたことを特徴とする請求項１記載のシート固定具。
【発明の詳細な説明】
【技術分野】
【０００１】
本発明は、テントシートや工事用の防音シート等のシートの周縁部に取付け、シートを展張し固定するためのロープを挿通したりフックを引っ掛けて使用するシート固定具に関するものである。
【背景技術】
【０００２】
一般に、かかるシート固定具としては、テントシートや工事用の防音シート等のシートの周縁部に開孔を形成し、該開孔に固定されたハトメが使用されている。ところが、これらのハトメは、シートに開孔を形成しなければならないためにシートの強度が低下し、ハトメに強い力が加わると開孔の周縁部が裂けてシートが破損する問題があり、この問題を解消するために、例えば特許文献１に示すような固定具が提案されている。
【０００３】
すなわち、特許文献１に示す固定具は、片側にロープ等を引っ掛けるフック有する本体と本体にネジで固定される押さえ片とで固定具を構成し、本体と押さえ片との間にシートの周縁部を挟み止めるものである（特許文献１のＡ型止め具を参照）。
【先行技術文献】
【特許文献】
【０００４】
【特許文献１】特開２００３−９７０９８号公報
【発明の概要】
【発明が解決しようとする課題】
【０００５】
しかしながら、上記特許文献１に示す従来例は、ネジ固定の挟み止め方式であるために、どうしても使用中にネジが緩み、しかもシートの生布が引張られて薄くなってしまうことから、強い力が頻繁に加わると固定具がシートから外れてしまう課題があった。
【０００６】
本発明は、上記課題に鑑みて、テントシートや工事用の防音シート等の強い力が加わり強度が必要なシートの殆どは、シートの端縁にロープを挟み込み、高周波ウエルダーや縫製により挟み込んだロープをシートで固定した補強用の膨大部が形成されている点に着目して成したもので、その目的とするところは、シートに孔を開けることなく固定具を取付けることによりシートの破損を防止し、且つ固定具がシートから外れないようにしたシート固定具を提供することにある。
【課題を解決するための手段】
【０００７】
請求項１記載の発明は、シート端縁に形成された補強用の膨大部を両側から挟持し固定する一対の挟持片からなるシート取付部と、シートを展張し固定するためのロープ等を係合するロープ取付部とで構成された金属製のシート固定具であって、前記一対の挟持片は互いの基部を連結すると共に先端部は開口してなり、該先端部の内側には基部方向に向けて斜めに突出する抜け止め手段を備えていることを特徴とするものである。
【０００８】
請求項２記載の発明は、抜け止め手段をバネ材からなる一対の係止片で形成し、該係止片の基部を挟持片の内側に遊嵌状態に保持して一対の係止片の先端がシートを挟み付ける方向に開閉自在になるようにしたことを特徴とするものである。
【０００９】
請求項３記載の発明は、互いに連結してＣ字状に形成された一対の挟持片とその背面中央に配設したロープ取付部とをアルミ材で一体形成すると共に、挟持片の先端部に薄肉状の係止片を一体形成して抜け止め手段を構成し、前記一対の挟持片を両側から押圧してシート端縁の膨大部にカシメ固定するようにしたことを特徴とするものである。
【発明の効果】
【００１０】
請求項１の構成により、シート固定具は一対の挟持片にてシート端縁に挟み止めできるので、シートに開孔を形成する必要がなくなり、シートの破損が防止できる。また、シート端縁に形成された膨大部に抜け止め手段を係合して取り付けることにより、シート固定具がシートに強固に取り付けられる。しかも、一対の挟持片の先端部内側には基部方向に向けて斜めに突出する抜け止め手段を備えているので、シートに引張力が加わると抜け止め手段が閉じる方向、すなわちシートを締付ける方向に挙動して、より強固な抜け止め作用が発揮できる。
【００１１】
請求項２の構成により、抜け止め手段を構成する一対の係止片をバネ材で形成し、且つ遊嵌状態に保持してその先端を開閉自在にしているので、シートへの取り付けに際しては、固定具を手で差し込むだけで任意の位置に簡単に取り付けることができ、また使用時にシートが引っ張られたときには、一対の係止片がスムーズに閉じる方向へ動作するので、確実な抜け止め機能が得られる。しかも、加工時には、一対の挟持片はバネ材を使用する必要がないため、挟持片の折り曲げ加工等がし易くなる。
【００１２】
請求項３の構成により、全ての部材が一体に成形できるので、煩わしい部品の組み立て作業も必要なく、生産性が向上する。
【図面の簡単な説明】
【００１３】
【図１】本発明の実施例１の斜視図
【図２】同上の断面図
【図３】同上の係止片取付部の拡大断面図
【図４】同上のシートへの取付け状態を示す断面図
【図５】本発明の実施例２の斜視図
【図６】同上の断面図
【図７】同上のシートへの取付け状態を示す断面図
【発明を実施するための形態】
【実施例】
【００１４】
（実施例１）
以下、本発明の実施例１について、図１乃至図４に基づき説明する。シート固定具は、真鍮板を略Ｖ字状に折り曲げ加工して形成し、互いの基部を連結し先端部が開口した一対の挟持片１、１からなるシート取付部２と、ステンレス材を環状に曲げ加工して形成したロープ取付部３とで構成し、シート取付部２の基部にロープ取付部３を取着すると共に、シート取付部２の先端部にはバネ材で形成された一対の係止片４、４を設けている。
【００１５】
シート取付部２は、シート５の端縁に補強用のロープ６を挟み込み形成された膨大部７を一対の挟持片１、１で両側から挟持し、固定具をシート５に取付け固定するものであって、両側部を曲げ加工して形成した補強用のリブ８と、中央部にプレス加工して形成した補強用のリブ１９とを設け、一対の挟持片１、１の開きを防止している。また、ロープ取付部３は、シート５を展張し固定するためのロープやワイヤー等（図示せず）を取付けるものであり、一対の係止片４、４はシート５からの抜け止め手段を構成するものである。
【００１６】
係止片４は略く字状に形成し、挟持片１の内側に配設して、その先端が挟持片１の基部方向に向けて斜めに突出するようにしている。また、係止片４の基部を挟持片１の先端部に形成した折曲片９で挟持すると共に、折曲片９に形成した突起１０を係止片４の取付孔１１に嵌合して取着している。更に、図３に示すように、折曲片９の突起１０は取付孔１１に比べて小径に形成し、且つ係止片４と折曲片９との間には微小間隙を有しており、このために係止片４は遊嵌状態に保持され、一対の係止片４、４の先端がシート５を挟み付ける方向に開閉自在になるようにしている。
【００１７】
使用に際しては、シート５の膨大部７を挟持片１、１の開口部から挿入して固定具を手で押し込むと、一対の係止片４、４が弾性で開いて一対の挟持片１、１間に膨大部７が装着され、図４に示すように、一対の係止片４、４は閉じた状態で膨大部７を挟持すると共に、係止片４の先端が膨大部７に当接して抜け止め手段を構成し、固定具がシート５の所定の位置に取付け固定される。
【００１８】
而して、シートまたは固定具に引張力が加わった場合、該引張力によって抜け止め手段を構成する一対の係止片４、４が閉じる方向に挙動して強固にシート５を挟み込むようになり、効果的な抜け止め作用が発揮できる。また、一対の係止片４、４は、挟持片１に固定されているのではなく、その先端が挟み込み方向に開閉自在に保持されているので、シート６の膨大部８の挿入作業がし易く、且つ引張力が加わった際の閉じる動作もスムーズにできる。更に、補強用のリブ８、１９により、一対の挟持片１、１の開きが防止されるので、係止片４、４がより強固にシート５を挟み込むことができる。
【００１９】
（実施例２）
次に、本発明の実施例２について、図５乃至図７に基づき説明する。本実施例はシート取付部１２とロープ取付部１３とをアルミ材の押し出し成形で一体形成したものである。すなわち、一対の挟持片１４、１４の基部を連結し略Ｃ字状に形成してシート取付部１２を構成し、その背面中央に環状のロープ取付部１３を一体形成している。また、一対の挟持片１４、１４の先端部を薄肉状に形成すると共に内側に曲成し、その先端が基部方向に向けて斜めに突出する係止片１５、１５を一体形成して抜け止め手段を構成している。
【００２０】
使用に際しては、図７に示すように、シート１６の膨大部１７を一対の挟持片１４、１４間に挿入した後、一対の挟持片１４、１４を両側から押圧して、シート１６の膨大部１７にカシメ固定するのである。
【００２１】
図６に示すように、固定具をカシメ固定する前には、シート１６の膨大部１７が挿入できるように、Ｃ字状に形成した挟持片１４、１４の先端開口部１８は広く形成されており、カシメ固定した後は、図７に示すように開口部１８が狭くなると共に、係止片１５、１５の先端が挟持片１４の基部方向に向けて斜めに突出し、シート１６の膨大部１７に当接して抜け止め手段を構成するのである。
【００２２】
而して、上記実施例１と同様に、固定具に引張力が加わった場合、薄肉状に形成された一対の係止片１５、１５の先端が閉じる方向に挙動してより強固にシート１６を挟み込むようになって、効果的な抜け止め作用が発揮できる。また、全ての部材が一体成形できるので、煩わしい部品の組み立て作業も必要なくなる。
【００２３】
なお、上記実施例１、２では、ロープ固定具を環状に形成し、シート端縁に形成された補強用の膨大部はロープを挟み込み形成しているが、本発明はこれに限定されるものではなく、ロープ固定具は一部が開口したフック状のものでもよく、また、シート端縁の膨大部はシート端縁を折り曲げて形成したものであってもよい。
【符号の説明】
【００２４】
１、１４    挟持片
２、１２    シート取付部
３、１３    ロープ取付部
４、１５    係止片（抜け止め手段）
５、１６    シート
６          ロープ
７、１７    膨大部
８、１９    リブ
９          折曲片
１０        突起
１１        取付孔
１８        開口部
【図１】
2014201893.tif 000003
【図２】
2014201893.tif 000004
【図３】
2014201893.tif 000005
【図４】
2014201893.tif 000006
【図５】
2014201893.tif 000007
【図６】
2014201893.tif 000008
【図７】
2014201893.tif 000009